(57)【要約】【課題】地中に埋まっている石や地面付近の藁や根による悪影響を回避してブレードによる溝の形成を円滑に行うことができる構造を有する弾丸暗渠形成装置を提供する。【解決手段】弾丸暗渠形成装置１１におけるブレード１６は、溝形成方向先端の上下方向中間部に、溝形成方向前方に突出した中間突出部１６ａが設けられ、中間突出部より上部側には、上方が溝形成方向後方に向かって傾斜した上部後傾部１６ｂが設けられ、中間突出部より下部側には、下方が溝形成方向後方に向かって傾斜した下部後傾部１６ｃが設けられるとともに、下部後傾部は、ブレードを鉛直方向に地中に挿入した弾丸暗渠形成状態で、圃場１３の地表面側の作土１３ｂより下方の心土１３ａ中に挿入される。【選択図】図１
2018123574.tif 000002
【特許請求の範囲】
【請求項１】
走行可能な作業機の後部に、上下方向に移動可能に設けられる弾丸暗渠形成装置において、該弾丸暗渠形成装置は、下端に弾丸を設けた溝形成用のブレードを有し、該ブレードは、溝形成方向先端の上下方向中間部に、溝形成方向前方に突出した中間突出部が設けられ、該中間突出部より上部側には、上方が溝形成方向後方に向かって傾斜した上部後傾部を設けるとともに、前記ブレードを鉛直方向に地中に挿入した弾丸暗渠形成状態で、圃場の地表面側の作土より下方の心土中に挿入される中間突出部より下部側には、下方が溝形成方向後方に向かって傾斜した下部後傾部を設けたことを特徴とする弾丸暗渠形成装置。
【発明の詳細な説明】
【技術分野】
【０００１】
本発明は、弾丸暗渠形成装置に関し、詳しくは、圃場などにおける排水性を向上させるために設けられる弾丸暗渠を形成するための弾丸暗渠形成装置に関する。
【背景技術】
【０００２】
従来から、圃場などの排水性を向上させるため、地中に弾丸暗渠を形成することが行われている。弾丸暗渠を形成する装置としては、一般的に、下端に弾丸を設けた溝形成用ブレード（チゼル）を地中に進入させた状態で、ブルドーザなどの作業機で牽引又は押動するものが知られている。また、弾丸暗渠の形成と同時に、溝形成用ブレードで形成した溝内に籾殻などの疎水材を投入するものも知られている（例えば、特許文献１参照。）。
【先行技術文献】
【特許文献】
【０００３】
【特許文献１】特開２００５−３２５５５４号公報
【発明の概要】
【発明が解決しようとする課題】
【０００４】
通常、溝形成用ブレードは、特許文献１にも記載されているように、ブレード上部からブレード下部に向かって後方に傾斜した形状に形成されており、弾丸暗渠形成時にブレード先端が地中に埋もれた大きな石に接触した際に、ブレードが下方に引き込まれないようにしている。しかし、圃場の地面付近に大量の藁や根が残っている場合、先鋭化したブレード先端で切断できるようにしているものの、切断できなかったときには、これらの藁や根がブレード先端にまつわりつき、藁や根がブレード先端部に溜まってしまうと、ブレードによる溝の形成が困難になってしまう。
【０００５】
そこで本発明は、地中に埋まっている石や地面付近の藁や根による悪影響を回避してブレードによる溝の形成を円滑に行うことができる構造を有する弾丸暗渠形成装置を提供することを目的としている。
【課題を解決するための手段】
【０００６】
上記目的を達成するため、本発明の弾丸暗渠形成装置は、走行可能な作業機の後部に、上下方向に移動可能に設けられる弾丸暗渠形成装置において、該弾丸暗渠形成装置は、下端に弾丸を設けた溝形成用のブレードを有し、該ブレードは、溝形成方向先端の上下方向中間部に、溝形成方向前方に突出した中間突出部が設けられ、該中間突出部より上部側には、上方が溝形成方向後方に向かって傾斜した上部後傾部を設けるとともに、前記ブレードを鉛直方向に地中に挿入した弾丸暗渠形成状態で、圃場の地表面側の作土より下方の心土中に挿入される中間突出部より下部側には、下方が溝形成方向後方に向かって傾斜した下部後傾部を設けたことを特徴としている。
【発明の効果】
【０００７】
本発明の弾丸暗渠形成装置によれば、圃場の地面付近に大量の藁や根が残っていても、上部後傾部によってこれらを排除することができ、地中に埋もれた石に接触した場合は、下部後傾部によってブレードが下方に引き込まれることを防止できる。したがって、様々な状態の圃場に効率よく弾丸暗渠を形成することができる。
【図面の簡単な説明】
【０００８】
【図１】本発明の弾丸暗渠形成装置の一形態例を示す側面図である。
【図２】弾丸暗渠形成装置をブルドーザの後部に装着して弾丸暗渠を形成している作業中の状態を示す側面図である。
【図３】弾丸暗渠形成装置の平面図である。
【図４】弾丸暗渠形成装置の背面図である。
【図５】弾丸暗渠形成装置の他の形態例を示す側面図である。
【発明を実施するための形態】
【０００９】
図１乃至図４は、本発明の弾丸暗渠形成装置の一形態例を示すもので、本形態例に示す弾丸暗渠形成装置１１は、走行可能な作業機であるブルドーザ１２の後部に装着して圃場１３の心土１３ａ中に３本の弾丸暗渠１４を同時に形成する構成を有している。
【００１０】
弾丸暗渠形成装置１１は、ブルドーザ１２の後部に、平行リンク構造を有する取付フレーム１５を介して装着されるものであって、等間隔に配置された３枚のブレード１６と，各ブレード１６の下端にチェーン１７ａを介してそれぞれ設けられた弾丸１７とを有している。ブルドーザ１２の後部に設けられた取付フレーム１５は、左右一対のシリンダ１８によってブレード１６を昇降可能に支持しており、シリンダ１８を最も伸長させたときに、図１に想像線で示すように、ブレード１６を地表面より上方に上昇させた待機状態にでき、適度に伸縮させた状態で、図１に実線で示すように、ブレード１６を地中に挿入した弾丸暗渠形成状態にできるように形成されている。また、レーザ光を使用した制御手段（図示せず）によってシリンダ１８を伸縮させることにより、弾丸１７をあらかじめ設定された上下方向位置に保持するようにしている。
【００１１】
ブレード１６は、取付フレーム１５の後部側下端部に設けられた支持部材１５ａに上端部が固定された板状の部材であって、この板状の部材の板面が、鉛直方向かつ溝形成方向に対して平行な方向を向くように配置されており、ブレード１６の溝形成方向前端縁は、土砂の切り裂き効果を高めるために先鋭化されている。
【００１２】
ブレード１６における溝形成方向先端の上下方向中間部には、溝形成方向前方に突出した中間突出部１６ａが設けられ、この中間突出部１６ａより上部側には、上方が溝形成方向後方に向かって傾斜した上部後傾部１６ｂが設けられるとともに、中間突出部１６ａより下部側には、下方が溝形成方向後方に向かって傾斜した下部後傾部１６ｃが設けられている。
【００１３】
弾丸暗渠形成時には、中間突出部１６ａの上下方向位置が、圃場１３の地表面側で、通常の水田で耕される部分、通常は地表面から１０〜１５ｃｍの耕起深を有する作土１３ｂと、作土１３ｂより下方の前記心土１３ａとの境界１３ｃの付近、通常は、境界１３ｃより僅かに上方に位置させ、上部後傾部１６ｂが作土１３ｂの部分に位置し、下部後傾部１６ｃが心土１３ａの中に挿入された状態で弾丸暗渠１４を形成するように設定されている。
【００１４】
このように、作土１３ｂの部分に、上部が後方に傾斜した上部後傾部１６ｂを位置させることにより、作土１３ｂの中や作土１３ｂの上に存在する根や藁などを上方に持ち上げて左右に振り分けることができる。これにより、ブレード１６の前端部に根や藁などが引っ掛かってブレード１６に纏わり付くことを防止でき、ブレード１６を安定した状態で前進させることができる。また、心土１３ａの部分に、下部が後方に傾斜した下部後傾部１６ｃを位置させることにより、心土１３ａの中に存在する比較的大きな石が下部後傾部１６ｃに接触しても、ブレード１６が下方に引き込まれることがなくなる。
【００１５】
上部後傾部１６ｂや下部後傾部１６ｃの後傾角度は、圃場の状態に応じて任意に設定することができるが、通常は、上部後傾部１６ｂの後傾角度は、３０〜５０度の範囲、好ましくは４０度であり、下部後傾部１６ｃの後傾角度は、４０〜６０度の範囲、好ましくは４５度である。
【００１６】
したがって、作土１３ｂの部分に根や藁が大量に存在したり、心土１３ａの中に大量の石が存在したりする圃場においても、弾丸暗渠を安定した状態で効率よく形成することができ、作土１３ｂの上面が荒れて大きな凹凸を形成することもなくなる。また、３枚のブレード１６を等間隔で設けているので、３本の弾丸暗渠を同時に形成することができる。
【００１７】
さらに、本形態例に示す弾丸暗渠形成装置では、ブレード１６を固定した支持部材１５ａの一側端に、弾丸暗渠の形成位置を指示するための形成位置指示器１９が設けられている。この形成位置指示器１９は、支持部材１５ａの一側端に設けられた溝形成方向に対して平行な回動軸１９ａにより、支持部材１５ａに対して起伏可能に設けられており、図３及び図４に示すように、形成位置指示器１９を側方に倒すことにより、図示しないガイド溝やラインに形成位置指示器１９の先端に設けられている指示部材１９ｂを沿わせることよって形成中の弾丸暗渠の位置を指示することができ、あるいは、指示部材１９ｂによって、次に形成する弾丸暗渠の位置を指示するためのガイド溝を、弾丸暗渠形成と同時に圃場上面の所定位置に形成することができる。
【００１８】
また、形成位置指示器１９を上方に立ち上げることにより、圃場隅部の弾丸暗渠形成時の邪魔になることがなく、弾丸暗渠形成時以外のブルドーザ１２の走行に悪影響を与えることもなくなる。
【００１９】
図５は、本発明の弾丸暗渠形成装置の他の形態例を示している。なお、以下の説明において、前記形態例に示した弾丸暗渠形成装置の構成要素と同一の構成要素には同一の符号を付して詳細な説明は省略する。
【００２０】
この弾丸暗渠形成装置におけるブレード２１は、前記形態例に示したブレード１６と同様に、ブレード２１における溝形成方向先端の上下方向中間部には、溝形成方向前方に突出した中間突出部２１ａが設けられ、この中間突出部２１ａより上部側には、上方が溝形成方向後方に向かって傾斜した上部後傾部２１ｂが設けられるとともに、中間突出部２１ａより下部側には、下方が溝形成方向後方に向かって傾斜した下部後傾部２１ｃが設けられており、弾丸暗渠形成時には、中間突出部２１ａが、圃場１３の作土１３ｂと心土１３ａとの境界１３ｃの部分に、上部後傾部２１ｂが作土１３ｂの部分に、下部後傾部１６ｃが心土１３ａの部分に、それぞれ位置するようにして弾丸暗渠１４を形成する。
【００２１】
なお、本発明において、１台の走行可能な作業機に装着するブレードの数は任意であり、１枚でもよく、作業機の前後いずれにも適宜な取付部材を介して装着することもでき、作業機の性能や構造などに応じて適宜決定することができる。また、ブレード下端に設けられる弾丸の構造も任意であり、ブレードの溝形成方向後部側の形状も任意である。さらに、ブレードを地中に挿入する手段も、作業機の種類やブレードの枚数に応じて適宜選択することができ、ブレードの上部側を軸にして下部側を前後方向に回動させるようにしてもよい。
【符号の説明】
【００２２】
１１…弾丸暗渠形成装置、１２…ブルドーザ、１３…圃場、１３ａ…心土、１３ｂ…作土、１３ｃ…境界、１４…弾丸暗渠、１５…取付フレーム、１５ａ…支持部材、１６…ブレード、１６ａ…中間突出部、１６ｂ…上部後傾部、１６ｃ…下部後傾部、１７…弾丸、１７ａ…チェーン、１８…シリンダ、１９…形成位置指示器、１９ａ…回動軸、１９ｂ…指示部材、２１…ブレード、２１ａ…中間突出部、２１ｂ…上部後傾部、２１ｃ…下部後傾部
【図１】
2018123574.tif 000003
【図２】
2018123574.tif 000004
【図３】
2018123574.tif 000005
【図４】
2018123574.tif 000006
【図５】
2018123574.tif 000007